(57)【要約】【課題】電力供給の信頼性を高めた電力供給システムを供給する。【解決手段】複数の負荷に電力を供給する電力供給システムであって、複数の負荷に対応して設けられ、それぞれ対応する負荷に供給するべき電力を発電して供給する複数の燃料電池と、複数の燃料電池と接続され、それぞれの燃料電池が発電する電力のうち、対応する負荷に供給する電力以外の余剰電力を受け取り、電力が不足する負荷に供給する電力ネットワークと、それぞれの負荷に供給するべき電力量が予め定められた第１閾値より小さい場合、当該負荷に対応する燃料電池の発電を停止させ、当該負荷に供給するべき電力を、他の燃料電池に余剰電力として発電させる制御部とを備える。【選択図】図１
2006262697.tif 000002
【特許請求の範囲】
【請求項１】
複数の負荷に電力を供給する電力供給システムであって、
前記複数の負荷に対応して設けられ、それぞれ対応する負荷に供給するべき電力を発電して供給する複数の燃料電池と、
前記複数の燃料電池と接続され、それぞれの前記燃料電池が発電する電力のうち、対応する前記負荷に供給する電力以外の余剰電力を受け取り、電力が不足する前記負荷に供給する電力ネットワークと、
それぞれの前記負荷に供給するべき電力量が予め定められた第１閾値より小さい場合、当該負荷に対応する前記燃料電池の発電を停止させ、当該負荷に供給するべき電力を、他の燃料電池に前記余剰電力として発電させる制御部と
を備えることを特徴とする電力供給システム。
【請求項２】
前記制御部は、前記発電を停止させた燃料電池に対応する負荷に前記電力ネットワークから供給される余剰電力が、前記第１閾値より大きい第２閾値より大きくなった場合に、前記発電を停止させた燃料電池に、当該負荷に供給するべき電力を発電させ、前記他の燃料電池に前記余剰電力の発電を停止させることを特徴とする請求項１に記載の電力供給システム。
【請求項３】
前記制御部は、それぞれの前記負荷の起動時に必要な電力を、既に起動している前記負荷に対応する前記燃料電池に前記余剰電力として発電させることを特徴とする請求項１に記載の電力供給システム。
【請求項４】
前記制御部は、それぞれの前記負荷の起動から予め定められた時間が経過してから、対応する前記燃料電池に当該負荷に供給するべき電力を発電させ、他の前記燃料電池における前記余剰電力の発電を停止させることを特徴とする請求項３に記載の電力供給システム。
【請求項５】
前記制御部は、過去の所定の時間内における、それぞれの前記負荷が消費した消費電力の平均値が、前記第１閾値より小さい場合に、当該負荷に対応する前記燃料電池の発電を停止させ、当該負荷に供給するべき電力を、他の燃料電池に前記余剰電力として発電させることを特徴とする請求項１に記載の電力供給システム。
【請求項６】
前記制御部は、過去の所定の時間内における、それぞれの前記負荷の消費電力の平均値より、対応する前記燃料電池の発電量が所定の値以上大きい場合に、当該燃料電池の発電量を減少させることを特徴とする請求項１に記載の電力供給システム。
【請求項７】
前記制御部は、過去の所定の時間内における、それぞれの前記負荷が前記電力ネットワークから受け取る電力の平均値が、所定の値より大きい場合に、当該負荷に対応する前記燃料電池の発電量を増加させることを特徴とする請求項１に記載の電力供給システム。
【請求項８】
前記電力ネットワークに供給された前記余剰電力のうち、前記負荷に供給されない電力を蓄電し、前記複数の負荷の総需要電力が前記複数の燃料電池が発電できる総発電量を上回った場合に、蓄電した電力を前記複数の負荷に供給する蓄電装置を更に備え、
前記制御部は、前記蓄電装置が蓄電している電力が所定の値を下回った場合に、前記複数の燃料電池の発電量を増加させることを特徴とする請求項１に記載の電力供給システム。
【請求項９】
電力供給システムから複数の負荷に電力を供給させるためのプログラムであって、
前記電力供給システムを、
前記複数の負荷に対応して設けられ、それぞれ対応する負荷に供給するべき電力を発電して供給する複数の燃料電池と、
前記複数の燃料電池と接続され、それぞれの前記燃料電池が発電する電力のうち、対応する前記負荷に供給する電力以外の余剰電力を受け取り、電力が不足する前記負荷に供給する電力ネットワークと、
それぞれの前記負荷に供給するべき電力量が予め定められた第１閾値より小さい場合、当該負荷に対応する前記燃料電池の発電を停止させ、当該負荷に供給するべき電力を、他の燃料電池に前記余剰電力として発電させる制御部と
して機能させることを特徴とするプログラム。
【請求項１０】
複数の居住部を備える集合住宅であって、
前記複数の居住部に対応して設けられ、それぞれ対応する居住部に供給するべき電力を発電して供給する複数の燃料電池と、
前記複数の燃料電池と接続され、それぞれの前記燃料電池が発電する電力のうち、対応する前記居住部に供給する電力以外の余剰電力を受け取り、電力が不足する前記居住部に供給する電力ネットワークと、
それぞれの前記居住部に供給するべき電力量が予め定められた第１閾値より小さい場合、当該居住部に対応する前記燃料電池の発電を停止させ、当該居住部に供給するべき電力を、他の燃料電池に前記余剰電力として発電させる制御部と
を更に備えることを特徴とする集合住宅。
【発明の詳細な説明】
【技術分野】
【０００１】
本発明は、複数の負荷に電力を供給する電力供給システム、電力供給システムを備える集合住宅、及び電力供給システムを機能させるプログラムに関する。
【背景技術】
【０００２】
従来、電力を供給するべき負荷に応じて電源を分散して配置する分散型電力供給システムがある。このような分散型電力供給システムにおいては、それぞれの電源は対応する負荷にのみ電力を供給している。
【発明の開示】
【発明が解決しようとする課題】
【０００３】
しかし、従来の分散型電力供給システムにおいて、それぞれの電源が対応する負荷のみに電力を供給するため、それぞれの電源が故障又はメンテナンス等によって停止した場合、対応する負荷に電力を供給することができなかった。また、このような電力の供給停止を防ぐために、それぞれの負荷を商用電源等の電力系統（以下、系統と呼ぶ）に常時接続した場合、設備等のコストが増大してしまう。特に、山間部や離島等の負荷に電力を供給する場合、系統に接続するコストが更に増大してしまう。
【０００４】
このため本発明は上記の課題を解決する電力供給システム、集合住宅、及びプログラムを提供することを目的とする。この目的は、請求の範囲における独立項に記載の特徴の組み合わせにより達成される。また従属項は本発明の更なる有利な具体例を規定する。
【課題を解決するための手段】
【０００５】
上記課題を解決するために、本発明の第１形態においては、複数の負荷に電力を供給する電力供給システムであって、複数の負荷に対応して設けられ、それぞれ対応する負荷に供給するべき電力を発電して供給する複数の燃料電池と、複数の燃料電池と接続され、それぞれの燃料電池が発電する電力のうち、対応する負荷に供給する電力以外の余剰電力を受け取り、電力が不足する負荷に供給する電力ネットワークと、それぞれの負荷に供給するべき電力量が予め定められた第１閾値より小さい場合、負荷に対応する燃料電池の発電を停止させ、負荷に供給するべき電力を、他の燃料電池に余剰電力として発電させる制御部とを備えることを特徴とする電力供給システムを提供する。
【０００６】
制御部は、発電を停止させた燃料電池に対応する負荷に電力ネットワークから供給される余剰電力が、第１閾値より大きい第２閾値より大きくなった場合に、発電を停止させた燃料電池に、当該負荷に供給するべき電力を発電させ、他の燃料電池に余剰電力の発電を停止させてよい。
【０００７】
また、制御部は、それぞれの負荷の起動時に必要な電力を、既に起動している負荷に対応する燃料電池に余剰電力として発電させてよい。この場合、制御部は、それぞれの負荷の起動から予め定められた時間が経過してから、対応する燃料電池に当該負荷に供給するべき電力を発電させ、他の燃料電池における余剰電力の発電を停止させることが好ましい。
【０００８】
また、制御部は、過去の所定の時間内における、それぞれの負荷が消費した消費電力の平均値が、第１閾値より小さい場合に、当該負荷に対応する燃料電池の発電を停止させ、当該負荷に供給するべき電力を、他の燃料電池に余剰電力として発電させてもよい。
【０００９】
また、制御部は、過去の所定の時間内における、それぞれの負荷の消費電力の平均値より、対応する燃料電池の発電量が所定の値以上大きい場合に、当該燃料電池の発電量を減少させてよい。また、制御部は、過去の所定の時間内における、それぞれの負荷が電力ネットワークから受け取る電力の平均値が、所定の値より大きい場合に、当該負荷に対応する燃料電池の発電量を増加させてよい。
【００１０】
また、電力供給システムは、電力ネットワークに供給された余剰電力のうち、負荷に供給されない電力を蓄電し、複数の負荷の総需要電力が複数の燃料電池が発電できる総発電量を上回った場合に、蓄電した電力を複数の負荷に供給する蓄電装置を更に備え、制御部は、蓄電装置が蓄電している電力が所定の値を下回った場合に、複数の燃料電池の発電量を増加させてよい。
【００１１】
本発明の第２の形態においては、電力供給システムから複数の負荷に電力を供給させるためのプログラムであって、電力供給システムを、複数の負荷に対応して設けられ、それぞれ対応する負荷に供給するべき電力を発電して供給する複数の燃料電池と、複数の燃料電池と接続され、それぞれの燃料電池が発電する電力のうち、対応する負荷に供給する電力以外の余剰電力を受け取り、電力が不足する負荷に供給する電力ネットワークと、それぞれの負荷に供給するべき電力量が予め定められた第１閾値より小さい場合、当該負荷に対応する燃料電池の発電を停止させ、当該負荷に供給するべき電力を、他の燃料電池に余剰電力として発電させる制御部として機能させることを特徴とするプログラムを提供する。
【００１２】
本発明の第３の形態においては、複数の居住部を備える集合住宅であって、複数の居住部に対応して設けられ、それぞれ対応する居住部に供給するべき電力を発電して供給する複数の燃料電池と、複数の燃料電池と接続され、それぞれの燃料電池が発電する電力のうち、対応する居住部に供給する電力以外の余剰電力を受け取り、電力が不足する居住部に供給する電力ネットワークと、それぞれの居住部に供給するべき電力量が予め定められた第１閾値より小さい場合、当該居住部に対応する燃料電池の発電を停止させ、当該居住部に供給するべき電力を、他の燃料電池に余剰電力として発電させる制御部とを更に備えることを特徴とする集合住宅を提供する。
【００１３】
なお、上記の発明の概要は、本発明の必要な特徴の全てを列挙したものではなく、これらの特徴群のサブコンビネーションもまた、発明となりうる。
【発明を実施するための最良の形態】
【００１４】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１５】
図１は、本発明の実施形態に係る集合住宅１００の構成の一例を示す。集合住宅１００は、複数の居住部（６０ａ〜６０ｃ）及び電力供給システム１０を備える。電力供給システム１０は、複数の居住部（６０ａ〜６０ｃ）に設けられた複数の負荷（４０ａ〜４０ｃ）に電力を供給する。
【００１６】
電力供給システム１０は、複数の燃料電池（３０ａ〜３０ｃ）、電力ネットワーク２０、及び制御部５０を備える。複数の燃料電池（３０ａ〜３０ｃ）は、をれぞれ複数の負荷（４０ａ〜４０ｃ）に対応して設けられ、対応する負荷（４０ａ〜４０ｃ）に供給するべき電力を発電して供給する。それぞれの燃料電池（３０ａ〜３０ｃ）は、対応する負荷（４０ａ〜４０ｃ）が消費する消費電力に応じた電力を発電してよく、また予め定められた電力を発電してもよい。
【００１７】
電力ネットワーク２０は、複数の燃料電池（３０ａ〜３０ｃ）と接続され、それぞれの燃料電池（３０ａ〜３０ｃ）が発電する電力のうち、対応する負荷（４０ａ〜４０ｃ）に供給する電力以外の余剰電力を受け取る。また、電力ネットワーク２０は、受け取った余剰電力を、電力が不足する負荷（４０ａ〜４０ｃ）に供給する。つまり、電力ネットワーク２０は、対応する負荷（４０ａ〜４０ｃ）が消費する電力より大きい電力を発電する燃料電池（３０ａ〜３０ｂ）から余剰電力を受け取り、対応する燃料電池（３０ａ〜３０ｂ）が発電する電力より大きい電力を消費する負荷（４０ａ〜４０ｃ）に電力を供給する。
【００１８】
また、制御部５０は、それぞれの燃料電池（３０ａ〜３０ｃ）における発電効率が高くなるように、それぞれの燃料電池（３０ａ〜３０ｃ）の発電量を制御する。制御部５０の詳細については後述する。
【００１９】
このような構成により、それぞれの負荷（４０ａ〜４０ｃ）に対して複数の燃料電池（３０ａ〜３０ｂ）に電力を供給することができ、電力供給の信頼性を向上させることができる。例えば、いずれかの燃料電池（３０ａ〜３０ｂ）が故障又はメンテナンス等により発電できない場合であっても、当該燃料電池に対応する負荷（４０ａ〜４０ｃ）に対して電力を供給することができる。
【００２０】
また、それぞれの負荷（４０ａ〜４０ｃ）が同時に最大の電力（ピーク電力）を必要とする事は極めてまれであるため、一つの負荷（４０ａ〜４０ｃ）がピーク電力を消費する瞬間には、他の負荷（４０ａ〜４０ｃ）に対応する燃料電池（３０ａ〜３０ｃ）から当該負荷に電力を補えばよい。このため、それぞれの燃料電池（３０ａ〜３０ｃ）が、対応する負荷（４０ａ〜４０ｃ）の消費電力のピーク値を発電する能力を有さなくとも、電力を安定して供給することができる。このように本例によれば、複数の燃料電池（３０ａ〜３０ｃ）を相互に接続することにより、複数の燃料電池（３０ａ〜３０ｃ）総発電能力を低減することができる。このため、系統に接続せずとも電力供給の信頼性が高く、且つ安価な電力供給システムを提供することができる。このため、例えば離島等の地理的に系統に接続することが困難、又は系統に接続するコストが高いような場所であっても、信頼性が高く安価な電力供給システムを提供することができる。
【００２１】
また、燃料電池（３０ａ〜３０ｃ）のそれぞれの発電能力をＣ、設置台数をＮとした場合、複数の燃料電池（３０ａ〜３０ｃ）の総発電能力は、Ｃ×Ｎで与えられる。燃料電池（３０ａ〜３０ｃ）の故障確率をＲとし、複数の負荷（４０ａ〜４０ｃ）の総消費電力の最大値をΣＭ（Ｎ）とすると、電力供給が不足する確率は、ΣＭ（Ｎ）＞Ｃ×Ｎ×（１−Ｒ）となる確率である。本例においては、電力供給が不足する確率が、系統が停電する確率より小さくなるような発電能力、及び設置台数の燃料電池（３０ａ〜３０ｃ）を設けることが好ましい。これにより、系統と同等以上の電力供給の信頼性を有することができる。
【００２２】
図２は、燃料電池（３０ａ〜３０ｃ）の発電効率の一例を示す。図２において、横軸は燃料電池の発電量を示し、縦軸は燃料電池の発電効率を示す。図２に示すように、発電効率は発電量に応じて上昇する。このため、制御部５０は、それぞれの燃料電池（３０ａ〜３０ｃ）が所定の発電量より大きい電力を発電するように制御することが好ましい。
【００２３】
図３は、負荷（４０ａ〜４０ｃ）の消費電力の一例を示す。燃料電池（３０ａ〜３０ｃ）は、対応する負荷（４０ａ〜４０ｃ）の消費電力に応じた電力を発電するが、図２に示したように、燃料電池（４０ａ〜４０ｃ）は、発電量が低い領域では発電効率が低い。
【００２４】
図３（ａ）に示すように、制御部５０は、それぞれの負荷（４０ａ〜４０ｃ）に供給するべき電力量即ちそれぞれの負荷（４０ａ〜４０ｃ）が消費する消費電力が、予め定められた第１閾値より小さい場合、当該負荷４０ａに対応する燃料電池３０ａの発電を停止させ、当該負荷４０ａに供給するべき電力を他の燃料電池（３０ｂ〜３０ｃ）に余剰電力として発電させる。この場合、制御部５０は、他の燃料電池（３０ｂ〜３０ｂ）のうち、発電量が大きいものから順に当該電力を発電できる数の燃料電池を選択し、発電させてよい。これにより、燃料電池（３０ａ〜３０ｃ）が効率の低い領域で発電することを防ぎ、燃料電池（３０ａ〜３０ｃ）全体の発電効率を向上させることができる。
【００２５】
また、図３（ｂ）に示すように、制御部５０は、発電を停止させた燃料電池３０ａに対応する負荷４０ａに電力ネットワーク２０から供給される余剰電力即ち消費電力が、第１閾値より大きい第２閾値より大きくなった場合に、発電を停止させた燃料電池３０ａに、負荷４０ａに供給するべき電力を発電させ、他の燃料電池（３０ｂ〜３０ｃ）に余剰電力の発電を停止させてよい。例えば、第１閾値付近の消費電力で駆動する負荷に電力を供給する場合に、燃料電池の発電の停止／開始の判定を第１閾値のみで判定すると、燃料電池の発電の停止／開始が頻繁に繰り返され、燃料電池の発電効率が低下する。図３において説明した例によれば、燃料電池（３０ａ〜３０ｃ）の発電の停止／開始の繰り返しを低減し、燃料電池（３０ａ〜３０ｃ）の発電効率を向上させることができる。
【００２６】
また、制御部５０は、過去の所定の時間内における、それぞれの負荷（４０ａ〜４０ｃ）が消費した消費電力の平均値が、第１閾値より小さい場合に、当該負荷に対応する燃料電池（４０ａ〜４０ｃ）の発電を停止させ、当該負荷に供給するべき電力を、他の燃料電池（４０ａ〜４０ｃ）に余剰電力として発電させてもよい。また、制御部５０は、過去の所定の時間内における、発電を停止させた燃料電池３０ａに対応する負荷４０ａに電力ネットワーク２０から供給される余剰電力の平均値が、第１閾値より大きくなった場合に、発電を停止させた燃料電池３０ａに、負荷４０ａに供給するべき電力を発電させ、他の燃料電池（３０ｂ〜３０ｃ）に余剰電力の発電を停止させてもよい。これによっても、燃料電池（３０ａ〜３０ｃ）の発電の停止／開始の繰り返しを低減し、発電効率を向上させることができる。
【００２７】
また、燃料電池は、消費電力の変化に対するレスポンスが遅い。特に、負荷の起動時における消費電力の変化に対するレスポンスが遅い場合がある。そこで、制御部５０は、それぞれの負荷（４０ａ〜４０ｂ）の起動時に必要な電力を、既に起動している負荷（４０ａ〜４０ｂ）に対応する燃料電池（３０ａ〜３０ｂ）に余剰電力として発電させてもよい。この場合、制御部５０は、それぞれの負荷（４０ａ〜４０ｃ）の起動から予め定められた時間が経過してから、対応する燃料電池（３０ａ〜３０ｃ）に当該負荷に供給するべき電力を発電させ、他の燃料電池（３０ａ〜３０ｃ）における余剰電力の発電を停止させてよい。このような制御により、電力供給のレスポンスを向上させることができる。
【００２８】
また、制御部５０は、過去の所定の時間内において、それぞれの負荷（４０ａ〜４０ｃ）の消費電力より、対応する燃料電池（３０ａ〜３０ｃ）の発電量が所定の値以上大きい場合に、当該燃料電池の発電量を減少させてよい。また、制御部５０は、過去の所定の時間内における、それぞれの負荷（４０ａ〜４０ｃ）が電力ネットワーク２０から受け取る電力の平均値が、所定の値より大きい場合に、当該負荷に対応する燃料電池（３０ａ〜３０ｃ）の発電量を増加させてよい。このように、過去の所定の時間内における消費電力の平均値に基づいて燃料電池（３０ａ〜３０ｃ）の発電量の制御を行うことにより、燃料電池（３０ａ〜３０ｃ）の発電量の変動を抑制し、安定した発電を行うことができる。
【００２９】
また、制御部５０は、複数の負荷（４０ａ〜４０ｃ）における総消費電力を、発電できる数の燃料電池（３０ａ〜３０ｃ）を選択し、選択した燃料電池（３０ａ〜３０ｃ）に、当該総消費電力を発電させてもよい。つまり、燃料電池（３０ａ〜３０ｃ）が最大効率で発電した場合に、総消費電力を発電できる数の燃料電池（３０ａ〜３０ｃ）を選択する。このような制御によっても、燃料電池（３０ａ〜３０ｃ）全体の発電効率を向上させることができる。
【００３０】
図４は、電力供給システム１０の他の形態を示す図である。本例において、電力供給システム１０の電力ネットワーク２０は、外部の電力源と接続される。電力ネットワーク２０は、複数の負荷（４０ａ〜４０ｃ）の総消費電力が、複数の燃料電池（３０ａ〜３０ｃ）の総発電能力を上回った場合、外部の電力源から不足する電力を受け取り、負荷（４０ａ〜４０ｃ）に供給する。
【００３１】
ここで、外部の電力源は、他の電力供給システム１０であってよく、蓄電装置であってもよい。外部の電力源が他の電力供給システム１０である場合、それぞれの電力ネットワーク２０が互いに接続され、電力の受け渡しを行う。このように、他の電力供給システム１０と接続することにより、更に電力供給の信頼性を向上させることができる。
【００３２】
また、外部の電力源が蓄電装置である場合、当該蓄電装置は、燃料電池（３０ａ〜３０ｃ）から電力ネットワーク２０に供給された余剰電力のうち、負荷（４０ａ〜４０ｃ）に供給されない電力を蓄電し、複数の負荷（４０ａ〜４０ｃ）の総需要電力が複数の燃料電池（３０ａ〜３０ｃ）が発電できる総発電量を上回った場合に、蓄電した電力を複数の負荷（４０ａ〜４０ｃ）に供給する。このような構成によっても、更に電力供給の信頼性を向上させることができる。この場合、制御部５０は、蓄電装置が蓄電している電力が所定の値を下回った場合に、複数の燃料電池（３０ａ〜３０ｃ）の発電量を増加させ、蓄電装置を充電させることが好ましい。制御部５０は、過去の所定の時間内における、複数の燃料電池（３０ａ〜３０ｃ）の総発電量と、複数の負荷（４０ａ〜４０ｃ）に供給された総電力量とに基づいて、蓄電装置の蓄電量を算出してもよい。
【００３３】
図５は、電力供給システム１０を制御するためのコンピュータ２００の構成の一例を示す。本例において、コンピュータ２００は、電力供給システム１０を図１から図４において説明したように機能させるプログラムを格納する。コンピュータ２００は、ＣＰＵ７００と、ＲＯＭ７０２と、ＲＡＭ７０４と、通信インターフェース７０６と、ハードディスクドライブ７１０と、ＦＤディスクドライブ７１２と、ＣＤ−ＲＯＭドライブ７１６とを備える。ＣＰＵ７００は、ＲＯＭ７０２、ＲＡＭ７０４、ハードディスク７１０、ＦＤディスク７１４、及び／又はＣＤ−ＲＯＭ７１８に格納されたプログラムに基づいて動作する。
【００３４】
例えば、電力供給システム１０を機能させるプログラムは、電力供給システム１０を、図１から図４において説明した電力ネットワーク２０、複数の燃料電池（３０ａ〜３０ｃ）、及び制御部５０として機能させる。また、コンピュータ２００は、当該プログラムに基づいて、制御部５０として機能してもよい。
【００３５】
通信インターフェース７０６は、例えば電力供給システム１０と通信する。格納装置の一例としてのハードディスクドライブ７１０は、設定情報、ＣＰＵ７００を動作させるプログラムを格納する。ＲＯＭ７０２、ＲＡＭ７０４、及び／又はハードディスクドライブ７１０は、電力供給システム１０を図１から図４に関連して説明した電力供給システム１０として機能させるためのプログラムを格納する。また、当該プログラムは、フレキシブルディスク７２０、ＣＤ−ＲＯＭ７２２、ハードディスクドライブ７１０等に格納されていてもよい。
【００３６】
ＦＤドライブ７１２はフレキシブルディスク７１４からプログラムを読み取りＣＰＵ７００に提供する。ＣＤ−ＲＯＭドライブ７１６はＣＤ−ＲＯＭ７１８からプログラムを読み取りＣＰＵ７００に提供する。
【００３７】
また、プログラムは記録媒体から直接ＲＡＭに読み出されて実行されても、一旦ハードディスクドライブにインストールされた後にＲＡＭに読み出されて実行されても良い。更に、上記プログラムは単一の記録媒体に格納されても複数の記録媒体に格納されても良い。また記録媒体に格納されるプログラムは、オペレーティングシステムとの共同によってそれぞれの機能を提供してもよい。例えば、プログラムは、機能の一部または全部を行うことをオペレーティングシステムに依頼し、オペレーティングシステムからの応答に基づいて機能を提供するものであってもよい。
【００３８】
プログラムを格納する記録媒体としては、フレキシブルディスク、ＣＤ−ＲＯＭの他にも、ＤＶＤ、ＰＤ等の光学記録媒体、ＭＤ等の光磁気記録媒体、テープ媒体、磁気記録媒体、ＩＣカードやミニチュアーカードなどの半導体メモリー等を用いることができる。又、専用通信ネットワークやインターネットに接続されたサーバシステムに設けたハードディスクまたはＲＡＭ等の格納装置を記録媒体として使用してもよい。
【００３９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【産業上の利用可能性】
【００４０】
以上から明らかなように、本発明によれば、系統に接続せずに、電力供給の信頼性が高く、且つ安価な電力供給システムを提供することができる。
【図面の簡単な説明】
【００４１】
【図１】本発明の実施形態に係る集合住宅１００の構成の一例を示す図である。
【図２】燃料電池（３０ａ〜３０ｃ）の発電効率の一例を示す図である。
【図３】負荷（４０ａ〜４０ｃ）の消費電力の一例を示す。図３（ａ）は、消費電力及び発電量の一例を示し、図３（ｂ）は、消費電力及び発電量の他の例を示す。
【図４】電力供給システム１０の他の形態を示す図である。
【図５】電力供給システム１０を制御するためのコンピュータ２００の構成の一例を示す。
【符号の説明】
【００４２】
１０・・・電力供給システム、２０・・・電力ネットワーク、３０・・・燃料電池、４０・・・負荷、５０・・・制御部、６０・・・居住部、１００・・・集合住宅、２００・・・コンピュータ、７００・・・ＣＰＵ、７０２・・・ＲＯＭ、７０４・・・ＲＡＭ、７０６・・・通信Ｉ／Ｆ、７１０・・・ハードディスクドライブ、７１２・・・ＦＤドライブ、７１４・・・ＣＤ−ＲＯＭドライブ、７２０・・・フレキシブルディスク、７２２・・・ＣＤ−ＲＯＭ
【図１】
2006262697.tif 000003
【図２】
2006262697.tif 000004
【図３】
2006262697.tif 000005
【図４】
2006262697.tif 000006
【図５】
2006262697.tif 000007